(57)【要約】【課題】別個に水中電動ポンプを用意することなく異なる駆動方式で水中電動ポンプを駆動させることが可能であるとともに、制御部品９を容易に交換することが可能な水中電動ポンプ用の駆動制御モジュールを提供する。【解決手段】この水中電動ポンプ用の駆動制御モジュール１０２は、水中電動ポンプ本体１０１のヘッドカバー６に着脱可能に取り付けられる筐体部８と、水中電動ポンプ本体１０１が設置される排水領域の液位を検知する液位センサ７と、液位センサ７に配線Ｃにより接続された状態で筐体部８の内側に配置され、液位センサ７の検知信号に基づいて水中電動ポンプ本体１０１の駆動を制御する制御部品と、を備え、筐体部８は、互いに分割可能に組み合わされる第１筐体部８１と第２筐体部８２とを含み、第１筐体部８１がヘッドカバー６に取り付けられるように構成されている。【選択図】図１
2019105211.tif 000002
【特許請求の範囲】
【請求項１】
水中電動ポンプ本体のヘッドカバーに着脱可能に取り付けられる筐体部と、
前記水中電動ポンプ本体が設置される排水領域の液位を検知する液位センサと、
前記液位センサに配線により接続された状態で前記筐体部の内側に配置され、前記液位センサの検知信号に基づいて前記水中電動ポンプ本体の駆動を制御する制御部品と、を備え、
前記筐体部は、互いに分割可能に組み合わされる第１筐体部と第２筐体部とを含み、前記第１筐体部が前記ヘッドカバーに取り付けられるように構成されている、水中電動ポンプ用の駆動制御モジュール。
【請求項２】
非自動型の前記水中電動ポンプ本体に取り付けられることによって、前記液位センサおよび前記制御部品により、前記非自動型の水中電動ポンプ本体を自動型または自動交互型として駆動制御することが可能に構成されている、請求項１に記載の水中電動ポンプ用の駆動制御モジュール。
【請求項３】
前記第１筐体部と前記第２筐体部との分割面は、前記水中電動ポンプ本体の回転軸の軸方向と同様に、前記水中電動ポンプ本体の長手方向に延びている、請求項１または２に記載の水中電動ポンプ用の駆動制御モジュール。
【請求項４】
前記筐体部は、前記軸方向において、前記水中電動ポンプ本体の前記ヘッドカバーとモータとの両方に跨るように配置されている、請求項３に記載の水中電動ポンプ用の駆動制御モジュール。
【請求項５】
前記第１筐体部は、前記水中電動ポンプ本体の回転軸の軸方向に延びるとともに、前記制御部品が取り付けられる第１部分と、前記軸方向に略直交する方向に延びるとともに、一端側が前記水中電動ポンプ本体側から前記第１部分に接続され、他端側が前記ヘッドカバーに取り付けられる第２部分とを有する、請求項１〜４のいずれか１項に記載の水中電動ポンプ用の駆動制御モジュール。
【請求項６】
前記第１筐体部の前記第１部分は、前記第１筐体部と前記第２筐体部との分割面と略平行に配置され、前記水中電動ポンプ本体の外側面に対向する外表面と、前記分割面と略平行に配置され、前記外表面に対して前記水中電動ポンプ本体側とは逆側で、前記制御部品が取り付けられる側の内表面とを有するとともに、平板形状または箱形状に形成され、
前記第２筐体部は、前記制御部品を覆うように前記第１部分に取り付けられる箱形状に形成され、
前記第１筐体部と前記第２筐体部との前記分割面での組付方向において、前記第１筐体部の前記第１部分の長さは、前記第２筐体部の長さよりも小さい、請求項５に記載の水中電動ポンプ用の駆動制御モジュール。
【請求項７】
前記筐体部の上部には、一端が電源に接続される配線の他端を前記筐体部の内側に導入する第１配線導入口と、一端が前記液位センサに接続される配線の他端を前記筐体部の内側に導入する第２配線導入口とが設けられている、請求項１〜６のいずれか１項に記載の水中電動ポンプ用の駆動制御モジュール。
【請求項８】
前記制御部品は、前記筐体部の下部に配置されるトランスと、前記筐体部の下部に配置され、前記第１配線導入口から前記筐体部の内側に導入された配線が上方から接続される電磁接触器とを少なくとも含む、請求項７に記載の水中電動ポンプ用の駆動制御モジュール。
【請求項９】
前記液位センサが取り付けられる上下方向に延びる棒状の取付部材をさらに備え、
前記第１筐体部および前記第２筐体部は、それぞれ、前記取付部材を挟持するための第１挟持部および第２挟持部を有し、
前記第１挟持部および前記第２挟持部は、前記第１筐体部および前記第２筐体部が互いに組み合わさることにより、前記取付部材を挟持するように構成されている、請求項１〜８のいずれか１項に記載の水中電動ポンプ用の駆動制御モジュール。
【請求項１０】
水中電動ポンプ本体と、
前記水中電動ポンプ本体のヘッドカバーに着脱可能に取り付けられる筐体部と、
前記水中電動ポンプ本体が設置される排水領域の液位を検知する液位センサと、
前記液位センサに配線により接続された状態で前記筐体部の内側に配置され、前記液位センサの検知信号に基づいて前記水中電動ポンプ本体の駆動を制御する制御部品と、を備え、
前記筐体部は、互いに分割可能に組み合わされる第１筐体部と第２筐体部とを含み、前記第１筐体部が前記ヘッドカバーに取り付けられるように構成されている、水中電動ポンプ。
【発明の詳細な説明】
【技術分野】
【０００１】
本発明は、水中電動ポンプ用の駆動制御モジュールおよび水中電動ポンプに関するものである。
【背景技術】
【０００２】
従来、液位センサを備える水中電動ポンプが知られている（たとえば、特許文献１参照）。
【０００３】
上記特許文献１には、水中電動ポンプ本体と、制御部品と、互いに異なる高さ位置に配置される２つの液位センサとを備え、液位センサの検知に伴い、自動的に運転・停止を行う自動型の水中電動ポンプが開示されている。制御部品は、液位センサの信号に基づいてモータを駆動させる制御を行う駆動回路（主回路）と、駆動回路を開閉するリレーを有するリレー回路（制御回路）とを含んでいる。制御部品は、水中電動ポンプ本体の内側に配置されている。
【先行技術文献】
【特許文献】
【０００４】
【特許文献１】特開２００３−２８６９９０号公報
【発明の概要】
【発明が解決しようとする課題】
【０００５】
しかしながら、上記特許文献１の水中電動ポンプでは、制御部品は、水中電動ポンプ本体の内側に配置されているので、自動型から非自動型や自動交互型などの異なる駆動方式に変更することはできず、自動型とは異なる駆動方式の水中電動ポンプを使用する必要がある場合には、別個に水中電動ポンプを用意しなければならないという問題点がある。また、制御部品は、水中電動ポンプ本体の内側に配置されているため、制御部品を交換するためには、水中電動ポンプ本体を分解しなければならず、制御部品の交換作業が煩雑であるという問題点もある。なお、非自動型とは、ユーザが所定の操作を行わない限り、駆動を開始および停止することのない駆動方式である。自動交互型とは、自動型の水中電動ポンプとセットで用いられる水中電動ポンプの駆動方式であり、原則、自動型の水中電動ポンプと交互に駆動される水中電動ポンプの駆動方式である。
【０００６】
この発明は、上記のような課題を解決するためになされたものであり、この発明の１つの目的は、別個に水中電動ポンプを用意することなく異なる駆動方式で水中電動ポンプを駆動させることが可能であるとともに、制御部品を容易に交換することが可能な水中電動ポンプ用の駆動制御モジュールおよび水中電動ポンプを提供することである。
【課題を解決するための手段】
【０００７】
上記目的を達成するために、この発明の第１の局面における水中電動ポンプ用の駆動制御モジュールは、水中電動ポンプ本体のヘッドカバーに着脱可能に取り付けられる筐体部と、水中電動ポンプ本体が設置される排水領域の液位を検知する液位センサと、液位センサに配線により接続された状態で筐体部の内側に配置され、液位センサの検知信号に基づいて水中電動ポンプ本体の駆動を制御する制御部品と、を備え、筐体部は、互いに分割可能に組み合わされる第１筐体部と第２筐体部とを含み、第１筐体部がヘッドカバーに取り付けられるように構成されている。
【０００８】
この発明の第１の局面による水中電動ポンプ用の駆動制御モジュールでは、上記のように、水中電動ポンプ本体のヘッドカバーに着脱可能に取り付けられる筐体部と、液位センサに配線により接続された状態で筐体部の内側に配置され、液位センサの検知信号に基づいて水中電動ポンプ本体の駆動を制御する制御部品とを設ける。これにより、制御部品が内側に配置される筐体部を、水中電動ポンプ本体のヘッドカバーを取り外すことなく水中電動ポンプ本体から着脱することができるので、非自動型の水中電動ポンプに、筐体部を取り付けて、液位センサの検知信号に基づいて駆動される自動型または自動交互型の駆動方式の水中電動ポンプとして構成することができる。そして、駆動制御モジュールの着脱および交換により、自動型から非自動型などの他の駆動方式の水中電動ポンプに変更することができる。すなわち、１つの水中電動ポンプ本体に対して、筐体部の着脱により駆動方式を変更することができるので、別個に水中電動ポンプを用意することなく異なる駆動方式で水中電動ポンプを駆動させることができる。また、筐体部を、互いに分割可能に組み合わされる第１筐体部と第２筐体部とを含み、第１筐体部がヘッドカバーに取り付けられるように構成する。このように、水中電動ポンプ本体に対して筐体部を着脱可能に構成することによって、水中電動ポンプ本体を分解することなく、制御部品を容易に交換することができる。以上により、非自動運転型の水中電動ポンプであっても、本発明の駆動制御モジュールを取り付ける事で、液位センサの検知結果により自動運転させることが可能になるとともに、制御部品を容易に交換することができる。
【０００９】
上記第１の局面による水中電動ポンプ用の駆動制御モジュールにおいて、好ましくは、非自動型の水中電動ポンプ本体に取り付けられることによって、液位センサおよび制御部品により、非自動型の水中電動ポンプ本体を自動型または自動交互型として駆動制御することが可能に構成されている。
【００１０】
上記第１の局面による水中電動ポンプ用の駆動制御モジュールにおいて、好ましくは、第１筐体部と第２筐体部との分割面は、水中電動ポンプ本体の回転軸の軸方向と同様に、水中電動ポンプ本体の長手方向に延びている。このように構成すれば、分割面が水中電動ポンプ本体の長手方向に延びているので、第１筐体と第２筐体とを分割した際に、制御部品を水中電動ポンプ本体の長手方向に対して側方に露出させることができる。その結果、水中電動ポンプ本体の側方から制御部品の交換作業を容易に行うことができる。
【００１１】
この場合、好ましくは、筐体部は、軸方向において、水中電動ポンプ本体のヘッドカバーとモータとの両方に跨るように配置されている。このように構成すれば、筐体部がヘッドカバーとモータとの両方に跨るような比較的高い位置に配置されるので、筐体部が低い位置に配置される場合と比較して、電源ケーブルや液位センサのケーブルとの配線および水中電動ポンプ本体への取り付け作業をより容易に行うことができる。
【００１２】
上記第１の局面による水中電動ポンプ用の駆動制御モジュールにおいて、好ましくは、第１筐体部は、水中電動ポンプ本体の回転軸の軸方向に延びるとともに、制御部品が取り付けられる第１部分と、軸方向に略直交する方向に延びるとともに、一端側が水中電動ポンプ本体側から第１部分に接続され、他端側がヘッドカバーに取り付けられる第２部分とを有する。このように構成すれば、第１部分と第２部分とにより、第１筐体部を、水中電動ポンプ本体の形状に沿って配置することができるので、第１筐体部が水中電動ポンプ本体から突出するのを抑制することができる。
【００１３】
この場合、好ましくは、第１筐体部の第１部分は、第１筐体部と第２筐体部との分割面と略平行に配置され、水中電動ポンプ本体の外側面に対向する外表面と、分割面と略平行に配置され、外表面に対して水中電動ポンプ本体側とは逆側で、制御部品が取り付けられる側の内表面とを有するとともに、平板形状または箱形状に形成され、第２筐体部は、制御部品を覆うように第１部分に取り付けられる箱形状に形成され、第１筐体部と第２筐体部との分割面での組付方向において、第１筐体部の第１部分の長さは、第２筐体部の長さよりも小さい。このように構成すれば、組付方向において、第１筐体部の第１部分の長さが第２筐体部の長さよりも大きい場合と比較して、第１筐体部から第２筐体部を取り外した場合に、第１筐体部に取り付けられた制御部品のより広い範囲を露出させることができる。その結果、制御部品の交換作業をより容易に行うことができる。
【００１４】
上記第１の局面による水中電動ポンプ用の駆動制御モジュールにおいて、好ましくは、筐体部の上部には、一端が電源に接続される配線の他端を筐体部の内側に導入する第１配線導入口と、一端が液位センサに接続される配線の他端を筐体部の内側に導入する第２配線導入口とが設けられている。このように構成すれば、筐体部の上部から電源ケーブルおよび液位センサのケーブルを駆動制御モジュール内へ導入し、容易に制御部品との配線作業を行うことができる。
【００１５】
この場合、好ましくは、制御部品は、筐体部の下部に配置されるトランスと、筐体部の下部に配置され、第１配線導入口から筐体部の内側に導入された配線が上方から接続される電磁接触器とを少なくとも含む。このように構成すれば、トランスおよび電磁接触器が筐体部の下部に配置されるので、筐体部の上部に、トランスおよび電磁接触器に接続される配線の配置スペースを確保することができる。
【００１６】
上記第１の局面による水中電動ポンプ用の駆動制御モジュールにおいて、好ましくは、液位センサが取り付けられる上下方向に延びる棒状の取付部材をさらに備え、第１筐体部および第２筐体部は、それぞれ、取付部材を挟持するための第１挟持部および第２挟持部を有し、第１挟持部および第２挟持部は、第１筐体部および第２筐体部が互いに組み合わさることにより、取付部材を挟持するように構成されている。このように構成すれば、簡易な構成で、第１筐体部および第２筐体部に対して液位センサの取付部材を取り付けることができる。また、液位センサの取付部材を第１筐体部および第２筐体部に取り付けるために、第１筐体部および第２筐体部とは別体の構成を、第１筐体部および第２筐体部に設置する場合と比較して、装置構成を簡素化することができる。
【００１７】
この発明の第２の局面における水中電動ポンプは、水中電動ポンプ本体と、水中電動ポンプ本体のヘッドカバーに着脱可能に取り付けられる筐体部と、水中電動ポンプ本体が設置される排水領域の液位を検知する液位センサと、液位センサに配線により接続された状態で筐体部の内側に配置され、液位センサの検知信号に基づいて水中電動ポンプ本体の駆動を制御する制御部品と、を備え、筐体部は、互いに分割可能に組み合わされる第１筐体部と第２筐体部とを含み、第１筐体部がヘッドカバーに取り付けられるように構成されている。
【００１８】
この発明の第２の局面による水中電動ポンプでは、上記のように、水中電動ポンプ本体のヘッドカバーに着脱可能に取り付けられる筐体部と、液位センサに配線により接続された状態で筐体部の内側に配置され、液位センサの検知信号に基づいて水中電動ポンプ本体の駆動を制御する制御部品とを設ける。これにより、制御部品が内側に配置される筐体部を、水中電動ポンプ本体のヘッドカバーを取り外すことなく水中電動ポンプ本体から着脱することができるので、非自動型の水中電動ポンプに、筐体部を取り付けて、液位センサの検知信号に基づいて駆動される自動型または自動交互型の駆動方式の水中電動ポンプとして構成することができる。そして、駆動制御モジュールを取り外すことなどにより、自動型から非自動型などの他の駆動方式の水中電動ポンプに変更することができる。すなわち、１つの水中電動ポンプ本体に対して、筐体部の着脱により駆動方式を変更することができるので、別個に水中電動ポンプを用意することなく異なる駆動方式で水中電動ポンプを駆動させることができる。また、筐体部を、互いに分割可能に組み合わされる第１筐体部と第２筐体部とを含み、第１筐体部がヘッドカバーに取り付けられるように構成する。これにより、筐体部を第１筐体部と第２筐体部とに分割することによって、水中電動ポンプ本体を分解することなく、制御部品を容易に交換することができる。以上により、別個に水中電動ポンプを用意することなく異なる駆動方式で水中電動ポンプを駆動させることができるとともに、制御部品を容易に交換することが可能な水中電動ポンプを提供することができる。
【発明の効果】
【００１９】
本発明によれば、上記のように、別個に水中電動ポンプを用意することなく異なる駆動方式で水中電動ポンプを駆動させることができるとともに、制御部品を容易に交換することができる。
【図面の簡単な説明】
【００２０】
【図１】本発明の一実施形態による自動型の水中電動ポンプの全体構成を示した概略図である。
【図２】本発明の一実施形態による自動交互型の水中電動ポンプの全体構成を示した概略図である。
【図３】本発明の一実施形態による自動型の水中電動ポンプの駆動制御モジュールの筐体部を示した斜視図である。
【図４】本発明の一実施形態による自動型の水中電動ポンプの駆動制御モジュールを分解した状態を示す側面図である。
【図５】本発明の一実施形態による自動型の水中電動ポンプの駆動制御モジュールの第１筐体部および制御部品の正面図である。
【図６】図４のＱ部の部分拡大図である。
【図７】本発明の一実施形態による自動型の水中電動ポンプの駆動制御モジュールの回路構成を示した図である。
【図８】本発明の一実施形態による自動交互型の水中電動ポンプの駆動制御モジュールの回路構成を示した図である。
【図９】本発明の一実施形態による交互型および自動交互型の水中電動ポンプの動作について説明するための図である。
【発明を実施するための形態】
【００２１】
以下、本発明の実施形態を図面に基づいて説明する。
【００２２】
（自動型および自動交互型の水中電動ポンプの構成）
図１〜図９を参照して、本発明の一実施形態による水中電動ポンプ１００および２００について説明する。一実施形態による図１に示す水中電動ポンプ１００および図２に示す水中電動ポンプ２００は、共に、回転軸２が上下方向（Ｚ方向）に延びる縦型の水中電動ポンプである。また、水中電動ポンプ１００および２００は、それぞれ、自動型および自動交互型の水中電動ポンプである。
【００２３】
詳細には、図１に示す水中電動ポンプ１００は、非自動型の水中電動ポンプ本体１０１に駆動制御モジュール１０２を取り付けることにより、駆動制御モジュール１０２の後述する液位センサ７および制御部品９によって、非自動型の水中電動ポンプ本体１０１を、自動型として駆動制御することが可能に構成されている。
【００２４】
また、図２に示す水中電動ポンプ２００は、非自動型の水中電動ポンプ本体１０１に駆動制御モジュール１０３を取り付けることにより、駆動制御モジュール１０３の後述する液位センサ２０７および制御部品９によって、非自動型の水中電動ポンプ本体１０１を、自動交互型として駆動制御することが可能に構成されている。
【００２５】
非自動型とは、水中電動ポンプ本体１０１が設置される所定の排水領域の液位が変動したとしても、水中電動ポンプ本体１０１自体が駆動の開始および停止を判断することがない水中電動ポンプの駆動方式（タイプ）である。すなわち、非自動型とは、ユーザが所定の操作を行わない限り、駆動を開始および停止することのない水中電動ポンプの駆動方式である。一方、自動型の水中電動ポンプ１００および自動交互型の水中電動ポンプ２００は、ユーザが所定の操作を行わなくても駆動を開始および停止させることができる。
【００２６】
自動型とは、排水領域の液位が上昇して所定の駆動液位まで到達した場合に駆動を開始するとともに、駆動液位から排水領域の液位が低下して所定の停止液位まで到達した場合に駆動を停止するように構成されている水中電動ポンプの駆動方式である。なお、自動型の水中電動ポンプは、停止液位に到達した場合に、即座に駆動を停止してもよいし、所定時間後に駆動を停止してもよい。
【００２７】
自動交互型とは、自動型の水中電動ポンプ１００とセットで用いられる水中電動ポンプ２００の駆動方式である。自動型の水中電動ポンプ１００と、自動交互型の水中電動ポンプ２００とは、原則、一度運転開始から停止までの一連の動作を行うと次回液位センサが運転を開始する液位を検知しても運転を開始せず停止したままとなり、その次に液位センサが運転を開始する液位を検知すると運転を開始し、運転状態と停止状態とを交互に切り替える制御を行う。詳細については後述する。
【００２８】
（水中電動ポンプ本体の構成）
図１を参照して、水中電動ポンプ本体１０１について説明する。なお、図１の水中電動ポンプ１００および図２の水中電動ポンプ２００は、同一構造の水中電動ポンプ本体１０１を備えている。そこで、以下では、水中電動ポンプ１００の水中電動ポンプ本体１０１について説明し、水中電動ポンプ２００の水中電動ポンプ本体１０１の説明は省略する。
【００２９】
水中電動ポンプ本体１０１は、図１に示すように、モータ１と、回転軸２と、ポンプ室３と、オイル室４と、メカニカルシール４１と、オイルリフター４２と、ポンプ室３に配置される羽根車５と、ヘッドカバー６とを備えている。
【００３０】
モータ１は、外部からの水が浸入しないように、密閉されている。また、モータ１は、回転軸２を回転駆動させる。モータ１は、回転軸２を介して羽根車５を回転駆動させるように構成されている。また、モータ１は、固定子１１と、回転子１２と、モータケーシング１３とを含んでいる。固定子１１は、コイルを有しており、モータ１の外周部に配置されている。また、固定子１１は、配線Ｕ１、Ｖ１、Ｖ２、Ｗ１、Ｗ２を介して３相交流の電源Ｐから電力が供給されることにより、磁界を発生させるように三相モータにより構成されている。回転子１２は、回転軸２に取り付けられ、固定子１１と径方向に対向するようにモータ１の内側に配置されている。また、回転子１２は、固定子１１からの磁界により回転するように構成されている。モータケーシング１３は、固定子１１と、回転子１２とを覆っている。モータケーシング１３の外側面１３ａは、水平方向（回転軸２の半径方向）において、駆動制御モジュール１０２と対向している。
【００３１】
回転軸２は、モータ１の駆動により回転するように構成されている。回転軸２の下端には、羽根車５が取り付けられている。回転軸２は、モータ１の駆動力を羽根車５に伝えるように構成されている。回転軸２（羽根車５）は、平面視において（上方から見た場合に）、時計回り（図１に示すＪ方向）に回転するように構成されている。回転軸２は、ベアリング２１および２２により回転可能に支持されている。回転軸２は、モータ１からオイル室４を貫通してポンプ室３まで延びるように配置されている。
【００３２】
ポンプ室３には、羽根車５が配置されている。また、ポンプ室３は、吸込口３１と吐出口３２とを有している。吸込口３１は、羽根車５の直下に配置され、吐出口３２は、羽根車５の側方に配置されている。水中電動ポンプ１００は、排水領域（図示せず）に設置され、吸込口３１からポンプ室３内へ水を吸水する。羽根車５は、回転することにより、ポンプ室３内へ吸水した水に対して速度エネルギーを与えるとともに、ポンプ室３内において水の速度エネルギーを圧力エネルギーに変換する。その結果、羽根車５は、流路３３を介して吐出口３２から水を吐出するように構成されている。
【００３３】
オイル室４は、モータ１およびポンプ室３の間に配置されており、オイル室４は、オイルが充填されている。また、オイル室４内には、メカニカルシール４１が設けられている。メカニカルシール４１は、負荷側（ポンプ室３側）および反負荷側（ポンプ室３に対して反対側、つまり、モータ１側）に、それぞれ、摺動部（図示せず）を有している。負荷側の摺動部は、ポンプ室３の圧力水がオイル室４に流入するのを防止（抑制）する機能を有している。また、反負荷側の摺動部は、オイル室４のオイルを含む流体がモータ１側に流入するのを防止（抑制）する機能を有している。なお、摺動部は、オイル室４に充填されたオイルによって、潤滑されるとともに、焼きつかないように冷却される。
【００３４】
オイルリフター４２は、オイル室４の回転軸２の周りに設けられ、回転軸２の周囲を囲う筒形状を有している。オイルリフター４２は、回転軸２の回転に伴いオイルを上方向に持ち上げるように構成されている。つまり、オイルリフター４２は、メカニカルシール４１の反負荷側の摺動部にオイルを供給するように構成されている。オイルリフター４２の下部には、貫通孔４２ａが設けられている。貫通孔４２ａは、オイルリフター４２の内周側にオイルを導くように構成されている。オイルリフター４２は、上方向に持ち上げたオイルをオイルリフター４２の上端側から外周側に戻すように構成されている。
【００３５】
ヘッドカバー６は、水中電動ポンプ１００の上部に取り付けられる中空のカバー部材である。ヘッドカバー６は、モータケーシング１３の上方の開口を塞ぐように構成されている。ヘッドカバー６は、上面に駆動制御モジュール１０２を取り付け可能（着脱可能）に構成されている。ヘッドカバー６の上部には、接地線Ｇおよび配線Ｕ１、Ｖ１、Ｖ２、Ｗ１、Ｗ２をヘッドカバー６内に導入するための貫通穴６ａが設けられている。
【００３６】
接地線Ｇおよび配線Ｕ１、Ｖ１、Ｗ１は、キャブタイヤケーブルＤにより束ねられて、電源Ｐ側から導入される配線である。配線Ｖ２、Ｗ２は、それぞれ、後述する電磁接触器９２を介して一端が配線Ｖ１、Ｗ１の下流側に接続され、他端がモータ１側に接続される配線である。なお、キャブタイヤケーブルＤにより束ねられる４つの接地線Ｇおよび配線Ｕ１、Ｖ１、Ｗ１は、ヘッドカバー６内で個々の配線に分かれている。
【００３７】
（自動型の水中電動ポンプの駆動制御モジュールの構成）
次に、図１および図３〜図７を参照して、自動型の水中電動ポンプ１００の駆動制御モジュール１０２の構成について説明する。
【００３８】
図１に示すように、駆動制御モジュール１０２は、筐体部８と、制御部品９と、液位センサ７と、取付部材７ａと、を備えている。
【００３９】
筐体部８は、ヘッドカバー６（図１参照）に着脱可能に取り付けられるように構成されている。筐体部８は、互いに分割可能に組み合わされる第１筐体部８１と第２筐体部８２とを含んでいる。制御部品９は、トランス９１（図４参照）と、電磁接触器９２（図４参照）とを含んでいる。取付部材７ａは、液位センサ７が取り付けられ、第１筐体部８１および第２筐体部８２により挟持される部材である。
【００４０】
第１筐体部８１および第２筐体部８２は、軸方向（Ｚ方向）において、水中電動ポンプ本体１０１のヘッドカバー６とモータ１との両方に跨るように配置されている。すなわち、第１筐体部８１および第２筐体部８２は、ヘッドカバー６およびモータ１の横に並ぶように配置されている。
【００４１】
第１筐体部８１は、ヘッドカバー６の上面に取り付けられるように構成されている。第１筐体部８１は、第１部分８１ａと、第２部分８１ｂ（図４の一点鎖線で囲まれた部分）とを有している。
【００４２】
第１部分８１ａは、水中電動ポンプ本体１０１の回転軸２の軸方向（Ｚ方向）に延びるように構成されている。第１部分８１ａは、水中電動ポンプ本体１０１側とは逆側（以下で説明するＡ１方向側）に開口部を有する箱形状に形成されている。第１部分８１ａの外表面８１０は、水中電動ポンプ本体１０１のモータケーシング１３の外側面１３ａに対向している。
【００４３】
以下では、水平方向のうち、回転軸２から駆動制御モジュール１０２に向かう方向をＡ１方向とし、その逆方向をＡ２方向とする。Ａ方向は、第１部分８１ａの外表面８１０に略直交する方向である。また、水平方向のうち、Ａ方向に直交する方向をＢ方向とする。また、Ｂ方向のうち、平面視で、回転軸２の半時計回り方向に沿った方向をＢ１方向とし、その逆方向をＢ２方向とする。なお、Ａ２方向は、特許請求の範囲の「組付方向」の一例である。
【００４４】
第１筐体部８１と第２筐体部８２との分割面８ａは、水中電動ポンプ本体１０１の回転軸２の軸方向（Ｚ方向）と同様に、水中電動ポンプ本体１０１の長手方向（Ｚ方向）に延びている。また、分割面８ａは、Ｂ方向に延びている。分割面８ａは、概して、Ｚ方向を長手方向とし、Ｂ方向を短手方向とする矩形形状を有している。
【００４５】
第１部分８１ａは、内表面８１１側にトランス９１および電磁接触器９２が取り付けられるように構成されている。内表面８１１とは、外表面８１０に対して水中電動ポンプ本体１０１とは逆側で、トランス９１および電磁接触器９２が取り付けられる側の面である。なお、自動交互型の水中電動ポンプ２００（図２参照）の駆動制御モジュール１０３（図２参照）では、図５の２点鎖線で示す位置に、後述する制御基板９３が配置される。
【００４６】
図１に示すように、第２部分８１ｂは、軸方向（Ｚ方向）に略直交する方向に延びるように構成されている。第２部分８１ｂは、一端側（Ａ１方向側）が水中電動ポンプ本体１０１側から第１部分８１ａに接続され、他端側（Ａ２方向側）がヘッドカバー６に取り付けられるように構成されている。
【００４７】
すなわち、第２部分８１ｂは、上下方向（Ｚ方向）において、回転軸２から離れる一端側（Ａ１方向側）で、水中電動ポンプ本体１０１とオーバーラップしないとともに、回転軸２に近い他端側（Ａ２方向側）で、水中電動ポンプ本体１０１とオーバーラップするように配置されている。
【００４８】
第２部分８１ｂの上部には、一端が電源Ｐに接続される接地線Ｇおよび配線Ｕ１、Ｖ１、Ｗ１の他端を第１筐体部８１の内側に導入する第１配線導入口８１２に設けられている。すなわち、第２部分８１ｂの上部には、キャブタイヤケーブルＤが取り付けられる貫通孔状の第１配線導入口８１２が設けられている。
【００４９】
キャブタイヤケーブルＤは、ゴムパッキンＫ１を介して、ボルトｂにより第１配線導入口８１２（第２部分８１ｂ）に上方から取り付けられている。ゴムパッキンＫ１は、キャブタイヤケーブルＤと第２部分８１ｂの上面との間に配置されている。
【００５０】
第２部分８１ｂは、キャブタイヤケーブルＤとともに、ゴムパッキンＫ２を介して、ボルトｂによりヘッドカバー６に上方から取り付けられている。ゴムパッキンＫ２は、第２部分８１ｂの下面とヘッドカバー６の上面との間に配置されている。
【００５１】
第２部分８１ｂには、第１配線導入口８１２の直下に、ヘッドカバー６の上面の貫通穴６ａに上方から連通する貫通穴８１３が設けられている。ヘッドカバー６および筐体部８は、ヘッドカバー６の貫通穴６ａおよび筐体部８の貫通穴８１３を介して、互いの内部空間を連通している。これにより、ヘッドカバー６および筐体部８は、１つの液密状態の内部空間を形成している。
【００５２】
第２部分８１ｂの内部には、第１配線導入口８１２および貫通穴８１３を、第１部分８１ａおよび第２筐体部８２の内部空間に連通させるためのＡ方向に延びる連通孔８１４（図４参照）が設けられている。
【００５３】
連通孔８１４には、配線Ｖ１、Ｗ１と、配線Ｖ２、Ｗ２とが通されている。図７に示すように、配線Ｖ１、Ｗ１は、それぞれ、一端が電源Ｐに接続され、他端が電磁接触器９２に接続されている。配線Ｖ２、Ｗ２は、それぞれ、一端が電磁接触器９２に接続され、他端がモータ１側に接続されている。
【００５４】
図１に示すように、第２筐体部８２は、電磁接触器９２およびトランス９１を覆うように、第１筐体部８１の第１部分８１ａに取り付けられる箱形状に形成されている。すなわち、第２筐体部８２は、水中電動ポンプ本体１０１側（Ａ２方向側）に開口部を有する箱形状に形成されている。第２筐体部８２は、第１筐体部８１のＡ１方向側からＡ２方向に移動されることにより、第１筐体部８１に組み付けられるように構成されている。第２筐体部８２は、ボルト（図示せず）により第１筐体部８１に対して固定されている。
【００５５】
第２筐体部８２の上部には、一端が液位センサ７に接続される配線Ｃの他端を第２筐体部８２の内側に導入する第２配線導入口８２ａが設けられている。第２配線導入口８２ａには、一端が液位センサ７に接続される配線ＣのコネクタＮが取り付けられている。コネクタＮは、コネクタＮと第２筐体部８２の上面との間に配置されるゴムパッキンＫ３を介して、第２配線導入口８２ａに取り付けられている。
【００５６】
図４に示すように、第１筐体部８１と第２筐体部８２との組付方向（Ａ方向）において、第１筐体部８１の第１部分８１ａの長さＬ１は、第２筐体部８２の長さＬ２よりも小さい（Ｌ１＜Ｌ２）。すなわち、箱形状の第１部分８１ａのＡ方向に延びる側壁は、箱形状の第２筐体部８２のＡ方向に延びる側壁よりも小さい。
【００５７】
図５に示すように、第１筐体部８１の第１部分８１ａの分割面８ａには、溝部８１５が設けられている。溝部８１５は、Ａ方向から見て、第１部分８１ａの外縁（分割面８ａ）に沿って延びる環状に形成されている。溝部８１５には、ＯリングＲが嵌め込まれている。溝部８１５は、分割面８ａからＡ２方向に窪んでいる。
【００５８】
図４に示すように、第２筐体部８２の分割面８ａには、凸部８２ｂが設けられている。凸部８２ｂは、分割面８ａに沿って延びる環状に形成されている。なお、凸部８２ｂは、溝部８１５に対応した環状に形成されている。凸部８２ｂは、Ａ２方向に突出している。凸部８２ｂは、溝部８１５に嵌合するように構成されている。すなわち、凸部８２ｂは、第１筐体部８１に第２筐体部８２が組み付けされた際に、溝部８１５に嵌め込まれる。
【００５９】
図６に示すように、凸部８２ｂは、溝部８１５に嵌合することにより、溝部８１５に設置されているＯリングＲを圧縮するように構成されている。このように、駆動制御モジュール１０２は、第１筐体部８１および第２筐体部８２の分割面８ａから水が第１筐体部８１および第２筐体部８２の内部に浸入するのを防止することが可能に構成されている。
【００６０】
図３に示すように、第１筐体部８１（第１部分８１ａ）および第２筐体部８２は、取付部材７ａを挟持するための第１挟持部８１６および第２挟持部８２ｃを有している。取付部材７ａは、上下方向に延びる丸棒状の部材であり、液位センサ７が取り付けられる部材である。
【００６１】
第１挟持部８１６は、Ａ２方向に窪んでおり、平面視で半円形状を有している。第２挟持部８２ｃは、Ａ１方向に窪んでおり、平面視で半円形状を有している。第２挟持部８２ｃは、第１挟持部８１６のＡ１方向側に配置されている。第１挟持部８１６および第２挟持部８２ｃは、第１筐体部８１および第２筐体部８２が互いに組み合わされることにより、取付部材７ａを挟持するように構成されている。第１挟持部８１６および第２挟持部８２ｃは、取付部材７ａの挟持位置を変更することにより、取付部材７ａの上下方向の位置を調整可能に構成されている。
【００６２】
図４に示すように、電磁接触器９２には、第１筐体部８１の第２部分８１ｂの第１配線導入口８１２から、第１筐体部８１の内側に導入された配線Ｖ１、Ｗ１が上方から接続されている。また、電磁接触器９２からはモータ１と接続するための配線Ｖ２、Ｗ２がヘッドカバー６内へ導入されている。また、液位センサ７からの配線Ｃに接続されるコネクタが、第２配線導入口８２ａから第２筐体部８２内へ導入されてトランス９１と電磁接触器９２とに接続されるコネクタとが接続される。トランス９１には、一端が電磁接触器９２と接続される配線Ｔ１、Ｔ２（図７参照）の他端が接続されている。トランス９１および電磁接触器９２は、第１筐体部８１の下部に横並びで（Ｂ方向に並ぶように）配置されている。これにより、第１筐体部８１および第２筐体部８２は、トランス９１および電磁接触器９２に接続される配線Ｖ１、Ｖ２、Ｗ１、Ｗ２、Ｃを配置する空間を、内側の上部に確保することが可能である。
【００６３】
図７に示すように、駆動制御モジュール１０２には、トランス９１、電磁接触器９２および液位センサ７により形成される液位センサ側回路７０が設けられている。
【００６４】
トランス９１は、電源Ｐから供給された電力を液位センサ側回路７０（液位センサ７）用の低電圧に変圧するように構成されている。たとえば、トランス９１は、電源Ｐから供給された２００Ｖの電力を２４Ｖに変圧するように構成されている。
【００６５】
電磁接触器９２は、液位センサ７の検知結果に基づいて、モータ１をＯＮ／ＯＦＦさせるための主回路を開閉するように構成されている。水中電動ポンプ１００の回路構成については後述する。
【００６６】
液位センサ７は、上フロートスイッチ（以下、上フロートとする）７１と、下フロートスイッチ（以下、下フロートとする）７２とを含んでいる。
【００６７】
上フロート７１は、取付部材７ａに取り付けられている。下フロート７２は、上フロート７１の下方側で、取付部材７ａに取り付けられている。上フロート７１および下フロート７２は、取付部材７ａへの取付位置を変更することにより、上下方向の位置を調整可能に構成されている。
【００６８】
（自動型の水中電動ポンプの回路構成）
次に、図７を参照して、自動型の水中電動ポンプ１００の回路構成について簡単に説明する。
【００６９】
水中電動ポンプ１００には、グラウンドに接続される接地線Ｇと、３相交流の電源Ｐに接続される配線Ｕ１、Ｖ１、Ｗ１の計４本の配線が、キャブタイヤケーブルＤにより束ねられて外部から導入されている。接地線Ｇは、ヘッドカバー６内にてポンプケーシング外郭部材（モータブラケット）に電気的に接続されている。配線Ｕ１は、電磁接触器９２に接続されることなく、直接、モータ１に接続されている。配線Ｖ１、Ｗ１は、それぞれ、第１筐体部８１の連通孔８１４を介して、筐体部（第１筐体部８１および第２筐体部８２）内に導入され、電磁接触器９２に接続されている。そして、電磁接触器９２に接続される配線Ｖ２、Ｗ２がヘッドカバー６内に導入されてモータ１に接続される。なお、接地線Ｇ、配線Ｕ１および後述する配線Ｖ２、Ｗ２の切り離し可能な接続端子（シェアプラグ）Ｓは、ヘッドカバー６内に配置される。
【００７０】
トランス９１には、配線Ｖ１、Ｗ１から配線Ｔ１、Ｔ２を介して所定電圧の電力が供給される。
【００７１】
液位センサ側回路７０において、上フロート７１および下フロート７２からの配線Ｃが、トランス９１および電磁接触器９２に接続されている。液位センサ側回路７０において、上フロート７１および下フロート７２は、互いに並列に配置されている。液位センサ側回路７０において、上フロート７１と、トランス９１とは、直列に接続されている。
【００７２】
＜電磁接触器の動作＞
電磁接触器９２の動作について説明する。
【００７３】
上フロート７１および下フロート７２は、共に、下方を向いている状態（水を検知していない状態）でＯＮとなり、上方を向いている状態（水を検知している状態）でＯＦＦとなるＢ接点のスイッチである。
【００７４】
上フロート７１および下フロート７２が共に下方を向いている状態では、液位センサ側回路７０に電流が流れ、電磁接触器９２内の電磁石（図示せず）により磁力が発生する。この状態では、モータ１は、停止している。
【００７５】
そして、液位が上昇して、上フロート７１および下フロート７２が共に下方を向いている状態から、下フロート７２が上を向き、さらに、液位が上昇して、上フロート７１が上を向くと、液位センサ側回路７０に電流が流れなくなるので、電磁接触器９２内の電磁石による磁力が失われ、電磁接触器９２内のスイッチの開閉が逆転する。その結果、配線Ｖ１（電源Ｐ側の配線）から配線Ｖ２（モータ１側の配線）に電流が流れるとともに、配線Ｗ１（電源Ｐ側の配線）から配線Ｗ２（モータ１側の配線）に電流が流れるため、モータ１は、駆動を開始する。
【００７６】
そして、液位が低下して、上フロート７１および下フロート７２が共に上を向いている状態から、上フロート７１が下を向き、さらに、液位が低下して、下フロート７２が下を向くと、液位センサ側回路７０に再び電流が流れるようになるので、電磁接触器９２内の電磁石による磁力が発生する。このため、電磁接触器９２内のスイッチの開閉が逆転し、モータ１は、駆動を停止する。
【００７７】
（自動交互型の水中電動ポンプの駆動制御モジュールの構成）
次に、図２および図８を参照して、自動交互型の水中電動ポンプ２００の駆動制御モジュール１０３の構成について説明する。なお、駆動制御モジュール１０２と同様の構成については、同一符号を付して説明を省略する。
【００７８】
図２に示すように、駆動制御モジュール１０２は、液位センサ２０７と、水中電動ポンプの駆動を制御する制御部品９としてトランス９１および電磁接触器９２に加えて設けられる制御基板９３とを備えている。
【００７９】
液位センサ２０７は、上フロートスイッチ（以下、上フロートとする）２７１と、下フロートスイッチ（以下、下フロートとする）２７２と、上フロート２７１と下フロート２７２との間に配置される中フロートスイッチ（以下、中フロートとする）２７３とを含んでいる。
【００８０】
下フロート２７２は、駆動制御モジュール１０２（図１参照）の下フロート７２（図１参照）と略同じ高さに配置されている。中フロート２７３は、駆動制御モジュール１０２の上フロート７１（図１参照）よりも下方に配置されている。上フロート２７１は、駆動制御モジュール１０２の上フロート７１よりも上方に配置されている。
【００８１】
図８に示すように、下フロート２７２、中フロート２７３および上フロート２７１は、それぞれ、配線Ｃにより、制御基板９３に接続されている。また、制御基板９３には、トランス９１および電磁接触器９２からの各種配線が接続されている。
【００８２】
図２に示すように、制御基板９３は、筐体部８（第１筐体部８１およびと第２筐体部８２）の内部で、トランス９１および電磁接触器９２の上方に配置されている。制御基板９３は、トランス９１および電磁接触器９２よりもＡ方向の幅が小さい。
【００８３】
制御基板９３は、水中電動ポンプ１００（図１参照）とセットで使用される水中電動ポンプ２００の交互運転を制御するように構成されている。具体的には、制御基板９３は、下フロート２７２、中フロート２７３および上フロート２７１の検知信号に基づいて水中電動ポンプ本体１０１の駆動を制御する。
【００８４】
（水中電動ポンプの動作）
次に、図９を参照して、自動型の水中電動ポンプ１００および自動交互型の水中電動ポンプ２００の動作について説明する。
【００８５】
なお、水中電動ポンプ１００の下フロート７２および水中電動ポンプ２００の下フロート２７２が液位を検知するレベル（液位）をＨ１とする。水中電動ポンプ２００の中フロート２７３が液位を検知するレベル（液位）をＨ２とする。水中電動ポンプ１００の上フロート７１が液位を検知するレベル（液位）をＨ３とする。水中電動ポンプ２００の上フロート２７１が液位を検知するレベル（液位）をＨ４とする。
【００８６】
初期状態では、液位がＨ１よりも低い状態であるとする。すなわち、水中電動ポンプ１００および水中電動ポンプ２００は、停止している状態であるとする。
【００８７】
そして、液位がＨ２まで上昇すると、水中電動ポンプ２００の中フロート２７３が上向きの姿勢となって液位を検知する。これにより、水中電動ポンプ２００は、制御基板９３による制御の下、駆動を開始する。
【００８８】
そして、液位がＨ１まで低下すると下フロート２７２が下向きの姿勢となって液位を検知しなくなり、水中電動ポンプ２００は、制御基板９３による制御の下、駆動を停止する。また、水中電動ポンプ２００は、制御基板９３による制御の下、一回停止モードになる。
【００８９】
なお、一回停止モードとは、次に液位がＨ２まで上昇して中フロート２７３が上向きの姿勢となり液位を検知する状態になったとしても、水中電動ポンプ２００を駆動させないモードのことをいう。一回停止モードは、一回停止モード中に水中電動ポンプ２００の中フロート２７３が上向きの姿勢となって液位を検知して、さらに、液位が低下して、中フロート２７３および下フロート２７２が下向きの姿勢となって液位を検知しなくなることにより終了する。なお、水中電動ポンプ２００の一回停止モード中に液位を低下させるのは、以下で説明する水中電動ポンプ１００の駆動、あるいは液位がＨ４まで上昇した際における水中電動ポンプ１００および水中電動ポンプ２００の２台同時運転による駆動である。
【００９０】
そして、一回停止モード中に、液位がＨ３まで上昇すると、上フロート７１が上向きの姿勢となって液位を検知し、水中電動ポンプ１００は駆動を開始する。そして、液位が低下する途中で、水中電動ポンプ２００は、制御基板９３による制御の下、一回停止モードが解除される。このように、水中電動ポンプ１００および２００は、交互に動作するように制御される。
【００９１】
なお、異常増水等により液位がＨ４まで急上昇した場合、水中電動ポンプ２００は、一回停止モードであるか否かに関らず、必ず駆動される。すなわち、液位がＨ４まで上昇し、水中電動ポンプ２００の上フロート２７１が上向きの姿勢となって液位を検知した場合、水中電動ポンプ１００および２００が共に駆動される。
【００９２】
（駆動制御モジュールの着脱および制御部品の部品交換）
自動型の水中電動ポンプ１００は、駆動制御モジュール１０２を水中電動ポンプ本体１０１から取り外すことにより、駆動方式を非自動型に変更することが可能である。同様に、自動交互型の水中電動ポンプ２００は、駆動制御モジュール１０３を水中電動ポンプ本体１０１から取り外すことにより、駆動方式を非自動型に変更することが可能である。
【００９３】
なお、水中電動ポンプ本体１０１は、再び、駆動制御モジュール１０２が取り付けられることにより、自動型の水中電動ポンプ１００として用いることが可能である。同様に、水中電動ポンプ本体１０１は、再び、駆動制御モジュール１０３が取り付けられることにより、自動交互型の水中電動ポンプ２００として用いることが可能である。
【００９４】
水中電動ポンプ１００および２００は、第１筐体部８１から第２筐体部８２を取り外して、液位センサ７などからの各種配線が接続される制御部品９を露出させることにより、液位センサ７や制御部品９を取り外して容易に交換することができる。
【００９５】
（本実施形態の効果）
本実施形態では、以下のような効果を得ることができる。
【００９６】
本実施形態では、上記のように、水中電動ポンプ本体１０１のヘッドカバー６に着脱可能に取り付けられる筐体部８と、液位センサ７に配線により接続された状態で筐体部８の内側に配置され、液位センサ７の検知信号に基づいて水中電動ポンプ本体１０１の駆動を制御する制御部品９とを設ける。これにより、制御部品９が内側に配置される筐体部８を、水中電動ポンプ本体１０１のヘッドカバー６を取り外すことなく水中電動ポンプ本体１０１から着脱することができるので、非自動型の水中電動ポンプに、筐体部８を取り付けて、液位センサ７の検知信号に基づいて駆動される自動型または自動交互型の駆動方式の水中電動ポンプ１００または２００として構成することができる。そして、駆動制御モジュール１０２（１０３）の着脱および交換により、自動型から非自動型などの他の駆動方式の水中電動ポンプ１００または２００などに変更することができる。すなわち、１つの水中電動ポンプ本体１０１に対して、筐体部８の着脱により駆動方式を変更することができるので、別個に水中電動ポンプを用意することなく異なる駆動方式で水中電動ポンプを駆動させることができる。また、筐体部８を、互いに分割可能に組み合わされる第１筐体部８１と第２筐体部８２とを含み、第１筐体部８１がヘッドカバー６に取り付けられるように構成する。このように、水中電動ポンプ本体１０１に対して筐体部８を着脱可能に構成することによって、水中電動ポンプ本体１０１を分解することなく、制御部品９を容易に交換することができる。以上により、非自動運転型の水中電動ポンプであっても、本発明の駆動制御モジュール１０２（１０３）を取り付ける事で、液位センサ７（２０７）の検知結果により自動運転させることが可能になるとともに、制御部品９を容易に交換することができる。
【００９７】
また、本実施形態では、上記のように、第１筐体部８１と第２筐体部８２との分割面８ａは、水中電動ポンプ本体１０１の回転軸２の軸方向と同様に、水中電動ポンプ本体１０１の長手方向に延びている。これにより、分割面８ａが水中電動ポンプ本体１０１の長手方向に延びているので、第１筐体と第２筐体とを分割した際に、制御部品９を水中電動ポンプ本体１０１の長手方向に対して側方に露出させることができる。その結果、水中電動ポンプ本体１０１の側方から制御部品９の交換作業を容易に行うことができる。
【００９８】
また、本実施形態では、上記のように、筐体部８は、軸方向において、水中電動ポンプ本体１０１のヘッドカバー６とモータ１との両方に跨るように配置されている。これにより、筐体部８がヘッドカバー６とモータ１との両方に跨るような比較的高い位置に配置されるので、筐体部８が低い位置に配置される場合と比較して、電源ケーブルや液位センサ７（２０７）のケーブルとの配線および水中電動ポンプ本体１０１への取り付け作業をより容易に行うことができる。
【００９９】
また、本実施形態では、上記のように、第１筐体部８１は、水中電動ポンプ本体１０１の回転軸２の軸方向に延びるとともに、制御部品９が取り付けられる第１部分８１ａと、軸方向に略直交する方向に延びるとともに、一端側が水中電動ポンプ本体１０１側から第１部分８１ａに接続され、他端側がヘッドカバー６に取り付けられる第２部分８１ｂとを有する。これにより、第１部分８１ａと第２部分８１ｂとにより、第１筐体部８１を、水中電動ポンプ本体１０１の形状に沿って配置することができるので、第１筐体部８１が水中電動ポンプ本体１０１から突出するのを抑制することができる。
【０１００】
また、本実施形態では、上記のように、第１筐体部８１の第１部分８１ａは、第１筐体部８１と第２筐体部８２との分割面８ａと略平行に配置され、水中電動ポンプ本体１０１の外側面に対向する外表面８１０と、分割面８ａと略平行に配置され、外表面８１０に対して水中電動ポンプ本体１０１側とは逆側で、制御部品９が取り付けられる側の内表面８１１とを有するとともに、箱形状に形成され、第２筐体部８２は、制御部品９を覆うように第１部分８１ａに取り付けられる箱形状に形成され、第１筐体部８１と第２筐体部８２との分割面８ａでの組付方向において、第１筐体部８１の第１部分８１ａの長さＬ１は、第２筐体部８２の長さＬ２よりも小さい。これにより、組付方向において、第１筐体部８１の第１部分８１ａの長さが第２筐体部８２の長さよりも大きい場合と比較して、第１筐体部８１から第２筐体部８２を取り外した場合に、第１筐体部８１に取り付けられた制御部品９のより広い範囲を露出させることができる。その結果、制御部品９の交換作業をより容易に行うことができる。
【０１０１】
また、本実施形態では、上記のように、筐体部８の上部には、一端が電源に接続される配線の他端を筐体部８の内側に導入する第１配線導入口８１２と、一端が液位センサ７に接続される配線の他端を筐体部８の内側に導入する第２配線導入口８２ａとが設けられている。これにより、筐体部８の上部から電源ケーブルおよび液位センサ７（２０７）のケーブルを駆動制御モジュール１０２（１０３）内へ導入し、容易に制御部品９との配線の導入作業を行うことができる。
【０１０２】
また、本実施形態では、上記のように、制御部品９は、筐体部８の下部に配置されるトランス９１と、筐体部８の下部に配置され、第１配線導入口８１２から筐体部８の内側に導入された配線が上方から接続される電磁接触器９２とを少なくとも含む。これにより、トランス９１および電磁接触器９２が筐体部８の下部に配置されるので、筐体部８の上部に、トランス９１および電磁接触器９２に接続される配線の配置スペースを確保することができる。
【０１０３】
また、本実施形態では、上記のように、液位センサ７が取り付けられる上下方向に延びる棒状の取付部材７ａをさらに備え、第１筐体部８１および第２筐体部８２は、それぞれ、取付部材７ａを挟持するための第１挟持部８１６および第２挟持部８２ｃを有し、第１挟持部８１６および第２挟持部８２ｃは、第１筐体部８１および第２筐体部８２が互いに組み合わさることにより、取付部材７ａを挟持するように構成されている。これにより、簡易な構成で、第１筐体部８１および第２筐体部８２に対して取付部材７ａを取り付けることができる。また、取付部材７ａを第１筐体部８１および第２筐体部８２に取り付けるために、第１筐体部８１および第２筐体部８２とは別体の構成を、第１筐体部８１および第２筐体部８２に設置する場合と比較して、装置構成を簡素化することができる。
【０１０４】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０５】
たとえば、上記一実施形態では、液位センサとして、フロートスイッチを用いた例を示したが、本発明はこれに限らない。本発明では、液位センサとして、電極式のセンサなどのフロートスイッチ以外の液位センサを用いてもよい。
【０１０６】
また、上記一実施形態では、３相交流の電源からの電力により駆動するように三相モータを用いて水中電動ポンプを構成した例を示したが、本発明はこれに限らない。本発明では、単相の電源からの電力により駆動するように単相モータを用いて水中電動ポンプを構成してもよい。なお、単相モータを用いる場合はコンデンサを設ける必要がある。
【０１０７】
また、上記一実施形態では、第１筐体部にトランスや電磁接触器などの制御部品を取り付けるように構成した例を示したが、本発明はこれに限らない。本発明では、第２筐体部にトランスや電磁接触器などの制御部品を取り付けるように構成してもよい。
【０１０８】
また、上記一実施形態では、組付方向において、第１筐体部の第１部分の長さを、第２筐体部の長さよりも小さくした例を示したが、本発明はこれに限らない。本発明では、組付方向において、第１筐体部の第１部分の長さを、第２筐体部の長さよりも大きくしてもよい。また、組付方向において、第１筐体部の第１部分の長さを、第２筐体部の長さと等しくしてもよい。
【０１０９】
また、上記一実施形態では、第１筐体部と第２筐体部との分割面を、水中電動ポンプ本体の長手方向に延びるように構成した例を示したが、本発明はこれに限らない。本発明では、分割面を、水中電動ポンプ本体の短手方向（回転軸に直交する方向）に延びるように構成してもよい。
【０１１０】
また、上記一実施形態では、筐体部が、軸方向において、水中電動ポンプ本体のヘッドカバーとモータとの両方に跨るように配置した例を示したが、本発明はこれに限らない。本発明では、筐体部が、軸方向において、水中電動ポンプ本体のヘッドカバーとモータとの両方に跨るように配置しなくてもよい。
【０１１１】
また、上記一実施形態では、第１筐体部の第１部分を箱形状に形成した例を示したが、本発明はこれに限らない。本発明では、第１筐体部の第１部分を平板液状などの箱形状以外の形状に形成してもよい。
【０１１２】
また、上記一実施形態では、第２筐体部を箱形状に形成した例を示したが、本発明はこれに限らない。本発明では、第２筐体部を平板液状などの箱形状以外の形状に形成してもよい。
【０１１３】
また、上記一実施形態では、取付部材を保持するための構成（第１挟持部、第２挟持部）を、第１筐体部と第２筐体部との両方に設けた例を示したが、本発明はこれに限らない。本発明では、取付部材を保持するための構成を第１筐体部および第２筐体部の一方にのみ設けてもよい。
【符号の説明】
【０１１４】
１  モータ
２  回転軸
６  ヘッドカバー
７  液位センサ
７ａ  取付部材
８  筐体部
８ａ  分割面
９  制御部品
８１  第１筐体部
８１ａ  第１部分
８１ｂ  第２部分
８２  第２筐体部
８２ａ  第２配線導入口
８２ｃ  第２挟持部
９１  トランス
９２  電磁接触器
１００、２００  水中電動ポンプ
１０１  水中電動ポンプ本体
１０２、１０３  駆動制御モジュール
８１０  外表面
８１１  内表面
８１２  第１配線導入口
８１６  第１挟持部
【図１】
2019105211.tif 000003
【図２】
2019105211.tif 000004
【図３】
2019105211.tif 000005
【図４】
2019105211.tif 000006
【図５】
2019105211.tif 000007
【図６】
2019105211.tif 000008
【図７】
2019105211.tif 000009
【図８】
2019105211.tif 000010
【図９】
2019105211.tif 000011